【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
体腔内の生体組織を結紮したクリップを体腔内に留置するようにした結紮装置において、
生体組織を結紮する開閉自在なクリップ爪部材及びこのクリップ爪部材に被嵌する押さえ部材を有したクリップと、
シースと、
上記シース内にあって進退自在な操作ワイヤーと、
上記操作ワイヤーの遠位側に設けられ、上記クリップ爪部材に接続可能な接続手段と、
上記操作ワイヤーを進退操作する操作部と、
上記シースの先端から上記クリップ爪部材を、生体組織を結紮可能な状態に突き出した位置に上記シースに対する上記押さえ部材の前進移動を規制する第１の移動阻止手段と、
上記クリップ爪部材で上記生体組織を結紮するとき、上記シースに対する上記押さえ部材の後退移動を規制する第２の移動阻止手段と、
上記操作ワイヤーを移動することで生体組織を把捉した状態の上記クリップを上記シースから解き放す解放手段と、
を備えたことを特徴とする結紮装置。
【請求項２】
請求項１の結紮装置において、上記シースの先端部内に上記クリップ爪部材を収納可能であることを特徴とするもの。
【請求項３】
請求項１の結紮装置において、上記第１の移動阻止手段は、上記押さえ部材に設けられた係止部が上記シースに設けられたストッパーに係止して上記シースに対する上記押さえ部材の前進を規制することを特徴とするもの。
【請求項４】
請求項３の結紮装置において、上記ストッパーは、上記シースに該シースの内方へ突き出して設けられたフランジであり、
上記係止部は、上記押さえ部材に設けられ、上記フランジの内径よりも大きい径を含む大径部であることを特徴とするもの。
【請求項５】
請求項３または請求項４の結紮装置において、上記押さえ部材の係止部は、上記接続手段の外周部分により内側から外側へ押し拡げられる変形可能な部分で形成されるとともに、上記クリップ爪部材が開閉自在なときに上記操作ワイヤーの遠位端に形成したワイヤー太径部により押し拡げられて上記ストッパーに係止可能となり、上記押さえ部材の前進を阻止することを特徴とするもの。
【請求項６】
請求項５の結紮装置において、上記押さえ部材の係止部は、内側へ突き出した少なくとも１つの突起を備え、該突起は、上記ワイヤー大径部分に当たり、上記係合部を外側へ押し拡げることを特徴とするもの。
【請求項７】
請求項６の結紮装置において、上記突起は、上記押さえ部材の弾性を有する部分に設けられたことを特徴とするもの。
【請求項８】
請求項６または請求項７の結紮装置において、上記ワイヤー大径部分は、上記クリップを開閉する進退移動範囲内で上記突起の中に入り得る、操作ワイヤーの長手方向への長さ寸法に設定されていることを特徴とするもの。
【請求項９】
請求項１〜８の少なくとも一つの結紮装置において、上記押さえ部材は、上記接続手段の一部が破断することにより、上記押さえ部材が上記シースから分離する手段を有していることを特徴とするもの。
【請求項１０】
請求項６または請求項７の結紮装置において、上記押さえ部材は、上記接続手段の一部が破断することにより、上記押さえ部材が上記シースから分離する手段を含み、上記ワイヤー大径部分が上記突起から外れるときに上記係止部が弾性的に内側へ縮小することで上記押さえ部材が上記ストッパーを通過できるようになることを特徴とするもの。
【請求項１１】
請求項１〜１０の少なくとも一つの結紮装置において、上記解放手段は、上記操作ワイヤーを移動して上記第１の移動阻止手段による上記押さえ部材の前進を阻止する機能を解除し、上記クリップを上記シースから解放するものであることを特徴とするもの。
【請求項１２】
請求項１１の結紮装置において、上記解放手段は、上記操作ワイヤーを移動して上記押さえ部材の一部を破断することにより上記クリップを上記シースから解放するものであることを特徴とするもの。
【請求項１３】
請求項１２の結紮装置において、上記押さえ部材に設けられた強度的に弱い脆弱部を含み、上記脆弱部が破断することで上記押さえ部材が上記シースから分離することを特徴とするもの。
【請求項１４】
請求項１３の結紮装置において、上記脆弱部は、上記押さえ部材の肉厚を薄くすることで実現したことを特徴とするもの。
【請求項１５】
請求項１３の結紮装置において、上記脆弱部は、上記押さえ部材の一部の断面積を少なくすることで実現したことを特徴とするもの。
【請求項１６】
請求項１３〜１５の少なくとも一つの結紮装置において、上記脆弱部が破断したとき、上記接続手段の部分が、上記押さえ部材の上記脆弱部より基端側に位置する上記押さえ部材の部分に引っ掛ることを特徴とするもの。
【請求項１７】
請求項１〜１６の少なくとも一つの結紮装置において、上記第２の移動阻止手段は、上記押さえ部材に突没自在に設けられた羽根が上記シースの先端から突き出されることで拡開して上記シースの先端部分に当接することにより上記押さえ部材が上記シース内に引き込まれることを阻止することを特徴とするもの。
【請求項１８】
請求項１７の結紮装置において、上記羽根は、外方へ向かって拡がる弾性的な付勢力を具有し、上記シース内に収納されたときは上記押さえ部材に畳み込まれ、上記シースから外へ突き出たときは弾性的に拡がって上記シースの先端部分に当接可能であることを特徴とするもの。
【請求項１９】
請求項１〜１８の少なくとも一つの結紮装置において、上記クリップ爪部材を開閉する手段は、上記押さえ部材に対して進退することにより上記クリップ爪部材が開閉することを特徴とするもの。
【請求項２０】
請求項１９の結紮装置において、上記クリップ爪部材を開閉する手段は、上記操作ワイヤーを手前に引くことにより、上記クリップ部材を上記押さえ部材に引き込み、上記クリップ部材を閉じることを特徴とするもの。
【請求項２１】
請求項２０の結紮装置において、上記クリップ爪部材を開閉する手段は、上記クリップ爪部材を上記押さえ部材に対して前進させたときに上記押さえ部材の先端の開口部が上記クリップ爪部材を変形させて上記クリップ爪部材を開くことを特徴とするもの。
【請求項２２】
請求項１〜２１の少なくとも一つの結紮装置において、上記クリップ爪部材は、複数のアーム状脚部材を有し、複数のアーム状脚部材を少なくとも２回クロスした複数のクロス部を有したことを特徴とするもの。
【請求項２３】
請求項２２の結紮装置において、上記押さえ部材は、先端側に上記クロス部が変形しなければ通過できない径の小径部を有し、それ以外の箇所は、上記クロス部が変形しなくても通過できる内径を有することを特徴とするもの。
【請求項２４】
請求項２１の結紮装置において、上記クリップ爪部材を開閉する手段は、上記クリップ爪部材を上記押さえ部材に対して前進させたときに上記押さえ部材に設けたブリッジ部により上記クリップ爪部材を強制的に開くことを特徴とするもの。
【請求項２５】
請求項１〜２４の少なくとも一つの結紮装置において、上記クリップ爪部材を上記押さえ部材に対して前進させたときに上記クリップ爪部材の前進を補助する弾性部を上記押さえ部材に設けたことを特徴とするもの。
【請求項２６】
請求項２５の結紮装置において、上記弾性部は、上記操作ワイヤーの動きを補助し、上記クリップ爪部材を上記押さえ部材に対して押し出す向きに上記クリップ爪部材を移動させる弾性片であることを特徴とするもの。
【請求項２７】
請求項２５の結紮装置において、上記弾性部は、その弾性力で上記接続手段または上記操作ワイヤーを上記押さえ部材に対して前進させるように設置されているバネ部材であることを特徴とするもの。
【請求項２８】
請求項１〜２７の少なくとも一つの結紮装置において、上記シースと上記クリップは、相対移動可能な範囲が定められているものであることを特徴とするもの。
【請求項２９】
請求項２８の結紮装置において、上記相対移動可能な範囲は、上記クリップ爪部材の長さと同等であることを特徴とするもの。
【請求項３０】
請求項２８または請求項２９の結紮装置において、上記クリップ爪部材が上記シース内に引き込まれることで、仮結紮が可能であることを特徴とするもの。
【請求項３１】
請求項３０の結紮装置において、仮結紮後に上記操作部による操作によって上記操作ワイヤーの前進操作で再度上記クリップ爪部材を開くことが可能であることを特徴とするもの。
【請求項３２】
請求項３１の結紮装置において、仮結紮後、更に上記操作部による操作によって上記操作ワイヤーを手前に引くことにより、上記クリップ爪部材が上記押さえ部材内に収納することにより、本結紮が可能であることを特徴とするもの。
【請求項３３】
請求項３２の結紮装置において、本結紮後は上記クリップ爪部材を再度上記押さえ部材内から突き出すことができないことを特徴とするもの。
【請求項３４】
請求項３３の結紮装置において、上記クリップ爪部材と上記押さえ部材との摩擦抵抗により上記クリップ爪部材の再突き出しを不可能にしていることを特徴とするもの。
【手続補正２】
【補正対象書類名】明細書
【補正対象項目名】０００８
【補正方法】変更
【補正の内容】
【０００８】
本発明は、体腔内の生体組織を結紮したクリップを体腔内に留置するようにした結紮装置において、生体組織を結紮する開閉自在なクリップ爪部材及びこのクリップ爪部材に被嵌する押さえ部材を有したクリップと、シースと、上記シース内にあって進退自在な操作ワイヤーと、上記操作ワイヤーの遠位側に設けられ、上記クリップ爪部材に接続可能な接続手段と、上記操作ワイヤーを進退操作する操作部と、上記シースの先端から上記クリップ爪部材を、生体組織を結紮可能な状態に突き出した位置に上記シースに対する上記押さえ部材の前進移動を規制する第１の移動阻止手段と、上記クリップ爪部材で上記生体組織を結紮するとき、上記シースに対する上記押さえ部材の後退移動を規制する第２の移動阻止手段と、上記操作ワイヤーを移動することで生体組織を把捉した状態の上記クリップを上記シースから解き放す解放手段と、を備えたことを特徴とする結紮装置である。